(57)【要約】本発明は、化粧内容物を収容する収容空間部（３１）の中央に形成され、化粧内容物を垂直上方に供給する垂直管部（３２）を有する内容器（３０）と、前記内容器の上部に固定的に取り付けられるショルダー（４０）と、前記収容空間部（３１）内に下降可能に挿入されるピストン（５０）と、前記内容器（３０）の上部にスプリング（６５）によって弾支された押圧板（６３）を押圧することによってピストン（５０）が押圧作動するとき、内容器の垂直管部（３２）の上部に結合されたバルブ胴体（６１）を開放して化粧内容物を吐き出すバルブ手段（６０）とを含む押圧作動式化粧品容器を提供する。【選択図】図３
2019505321.tif 000002
【特許請求の範囲】
【請求項１】
外容器の下体（２０）の内部に挿合され、化粧内容物を収容する収容空間部（３１）の中央に化粧内容物を垂直上方に供給する垂直管部（３２）が形成された内容器（３０）と、
前記内容器上に固定されるショルダー（４０）と、
前記内容器（３０）の収容空間部（３１）に下降可能に挿入されるピストン（５０）と、
前記内容器（３０）の上部にスプリング（６５）によって弾性的に支持された押圧板（６３）を押圧してピストン（５０）を押圧作動するとき、内容器の垂直管部（３２）の上部に結合されたバルブ胴体（６１）を開放して化粧内容物を吐き出すバルブ手段（６０）とを含んでなり、
前記バルブ手段（６０）は、内容器（３０）の垂直管部（３２）に結合され、バルブ孔（６１ａ）と上部に円周方向に配置された吐出孔（６１ｂ）とを有するバルブ胴体（６１）と、前記バルブ胴体（６１）の上部外側に配置され、下部にピストン（５０）を押圧するための押圧バー（６３ａ）を有する押圧板（６３）と、前記押圧板（６３）の下部を弾支するスプリング（６５）とを含み、
前記押圧板（６３）の内側面はバルブ胴体（６１）の上部外側に形成された傾斜面（６１ｃ）に弾性的に密着し、押圧板（６３）の押圧作動時、バルブ胴体の吐出孔（６１ｂ）を開閉作動することを特徴とする、押圧作動式化粧品容器。
【請求項２】
前記押圧板（６３）の内側には、バルブ胴体（６１）の上部外側の傾斜面（６１ｃ）に弾性的に密着して気密に作動するパッキング（６４）が配置されることを特徴とする、請求項１に記載の押圧作動式化粧品容器。
【請求項３】
前記押圧板（６３）の上部外側はショルダー（４０）の上部内側に形成された段差部（４１）から離隔し、スプリング（５０）の弾支力によって押圧板（６３）がバルブ胴体（６１）の上部外側の傾斜面（６１ｃ）に密着することを特徴とする、請求項１に記載の押圧作動式化粧品容器。
【請求項４】
前記内容器（３０）の収容空間部（３１）の内側面には、上端からピストン（５０）が最初に挿入される位置まで少なくとも１ヶ所以上に排気ホール（３３）が形成されることを特徴とする、請求項１に記載の押圧作動式化粧品容器。
【請求項５】
前記バルブ胴体（６１）の上部には押圧板（６３）の上面より低い位置に陷沒した凹部（６１ｄ）が形成されることを特徴とする、請求項１に記載の押圧作動式化粧品容器。
【請求項６】
前記ピストン（５０）の上部にはそれぞれ上端外側に係止突起（５６）を有する組立突起（５５）が垂直に形成され、前記ショルダー（４０）には前記組立突起（５５）が挿入される組立孔（４５）が形成され、ショルダー（４０）の内側面には組立突起の係止突起（５６）と噛み合って離脱を防止する係止突起（４６）が形成されることで、バルブ手段（６０）、ショルダー（４０）及びピストン（５０）が一体に組み立てられた状態で外容器の下体（２０）に組み立てられ、
前記ピストン（５０）の係止突起（５６）とショルダー（４０）の係止突起（４６）はラウンド突起状に形成され、押圧板（６３）の最初押圧作動時、押圧板（６３）を解除することを特徴とする、請求項１に記載の押圧作動式化粧品容器。
【請求項７】
前記押圧板（６３）を弾支するスプリング（６５）は円錐形及び逆円錐形のいずれか一つを有することを特徴とする、請求項１に記載の押圧作動式化粧品容器。
【請求項８】
前記押圧板（６３）の下部の押圧バー（６３ａ）はピストン（５０）の上部から一定の距離だけ離隔することを特徴とする、請求項１に記載の押圧作動式化粧品容器。
【請求項９】
前記ショルダー（４０）、ピストン（５０）及びバルブ手段（６０）は一体に組み立てられた状態で化粧内容物が充填された内容器（３０）及び下体（２０）と結合されることを特徴とする、請求項１に記載の押圧作動式化粧品容器。
【請求項１０】
前記内容器（３０）の収容空間部（３１）には、ピストン（５０）の結合による残留圧力を解消するための残留圧力解除部（８０）がさらに備えられることを特徴とする、請求項１に記載の押圧作動式化粧品容器。
【請求項１１】
前記残留圧力解除部（８０）は、内容器（３０）の内部に垂直に支持される支持部（８１）と、前記支持部に一端部が一体に結合され、他端部は、ピストンの結合時、内容器（３０）の内部圧力を外部に排出させるための圧力排出孔（８２ａ）を有する弾性ゴム素材のキャップ（８２）とを含んでなり、前記ピストンには前記キャップの他端部に結合される組立孔（８３）が貫設され、前記キャップの他端部の圧力排出孔は、ピストンの組立完了時、ショルダー（４０）に形成された密着部（８４）の対応位置に弾性的に密着することによって密閉されることを特徴とする、請求項１０に記載の押圧作動式化粧品容器。
【発明の詳細な説明】
【技術分野】
【０００１】
本発明は、押圧作動式化粧品容器に関する。より詳しくは、本発明は、エアレスポンプの代わりに押圧板をスプリングによって弾発的に押圧する簡単な構造によって化粧内容物を吐き出す押圧作動式化粧品容器に関する。
【背景技術】
【０００２】
一般に、化粧品容器は化粧内容物を収納して使用するものである。
【０００３】
特に、最近には化粧内容物の飛散防止又は皮膚への吸収力増大などのためのゲル状の化粧内容物を多く使う。このようなゲル状の化粧内容物にはエアレスポンプ構造の化粧品容器を主に使った。
【０００４】
このようなエアレスポンプ構造の化粧品容器は、上体と下体とからなる外容器と、前記外容器の内部に化粧内容物を収納する内容器とから構成され、前記内容器の上部にピストン、エアレスポンプ、前記エアレスポンプを押圧作動するレバー作動部、及びエアレスポンプから吐き出される化粧内容物をパフで付けて使うための化粧トレイなどを備える構造となり、前記レバー作動部でエアレスポンプを押圧作動すれば、前記ピストンが外部空気の流入によって下降しながら化粧内容物を内容器、エアレスポンプ及び化粧トレイに順次吐き出すようにした。
【０００５】
このような従来の化粧品容器は、化粧内容物の吐出使用のために、エアレスポンプ、レバー作動部などの多数の部品を順次組み立てて結合する複雑な構造となって組立作業性及び製造生産性の低下はもちろんのこと、製造コスト上昇の問題点をもたらした。
【０００６】
特に、内容器に化粧内容物を充填した後にも多数の部品を組み立てる過程が要求され、また組立過程中に作業者の不注意などによって化粧内容物が容器の外部に溢れる問題が発生することがあり組立作業が非常に不便になるなどのさまざまな問題点があった。
【０００７】
もちろん、このような点に鑑みて、従来にも化粧内容物を吐き出すための構成部品を先に組み立てた後、バッグ充填方式で化粧内容物を充填する方式を採択しているが、この場合には、化粧内容物のバッグ充填による構造的な問題によって約３０％の充填不良が発生しているという点で相当な問題となっている。
【０００８】
また、化粧内容物に対する気密構造が脆弱であって化粧品容器の携帯時に化粧内容物の漏出のおそれがあり、特に化粧トレイの吐出経路などに残っている残量の化粧内容物の汚染問題はもちろんのこと、外部に漏出して容器を汚染させるなどのさまざまな問題のため、これに対する改善が要求されている実情である。
【先行技術文献】
【特許文献】
【０００９】
【特許文献１】韓国公開実用新案第２０-２０１４-０００５９４３号公報
【特許文献２】韓国公開特許第１０-２０１３-００４０６７９号公報
【発明の概要】
【発明が解決しようとする課題】
【００１０】
本発明は前述したような従来技術が有する諸般問題点を解決するためになされたもので、エアレスポンプの代わりに押圧板をスプリングによって弾発的に押圧する簡単な構造によって化粧内容物を吐き出すことにその目的がある。
【００１１】
本発明は、内容器の上部に結合されるバルブ手段、ショルダー及びピストンを一体に組み立てた状態で内容器に化粧内容物を充填した後、一度に組み立てて製造するようにすることにその目的がある。
【００１２】
本発明は、押圧板を最初に押圧して使用する前にピストンが下降することを防止し、化粧内容物の吐出経路に対する気密構造を向上させて化粧内容物の残量が外部に漏出することを防止することにその目的がある。
【課題を解決するための手段】
【００１３】
本発明の一態様による押圧作動式化粧品容器は、外容器の下体の内部に挿合され、化粧内容物を収容する収容空間部の中央に化粧内容物を垂直上方に供給する垂直管部が形成された内容器と、前記内容器上に固定されるショルダーと、前記内容器の収容空間部に下降可能に挿入されるピストンと、前記内容器の上部にスプリングによって弾性的に支持された押圧板を押圧してピストンを押圧作動するとき、内容器の垂直管部の上部に結合されたバルブ胴体を開放して化粧内容物を吐き出すバルブ手段とを含んでなり、前記バルブ手段は、内容器の垂直管部に結合され、バルブ孔と上部に円周方向に配置された吐出孔とを有するバルブ胴体と、前記バルブ胴体の上部外側に配置され、下部にピストンを押圧するための押圧バーを有する押圧板と、前記押圧板の下部を弾支するスプリングとを含み、前記押圧板の内側面はバルブ胴体の上部外側に形成された傾斜面に弾性的に密着し、押圧板の押圧作動時、バルブ胴体の吐出孔を開閉作動する。
【００１４】
前記押圧板の内側には、バルブ胴体の上部外側の傾斜面に弾性的に密着して気密に作動するパッキングが配置されることができる。
【００１５】
前記押圧板の上部外側はショルダーの上部内側に形成された段差部から離隔し、スプリングの弾支力によって押圧板がバルブ胴体の上部外側の傾斜面に密着することができる。
【００１６】
前記内容器の収容空間部の内側面には、上端からピストンが最初に挿入される位置まで少なくとも１ヶ所以上に排気ホールが形成されることができる。
【００１７】
前記バルブ胴体の上部には押圧板の上面より低い位置に陷沒した凹部が形成されることができる。
【００１８】
前記ピストンの上部にはそれぞれ上端外側に係止突起を有する組立突起が垂直に形成され、前記ショルダーには前記組立突起が挿入される組立孔が形成され、ショルダーの内側面には組立突起の係止突起と噛み合って離脱を防止する係止突起が形成されることで、バルブ手段、ショルダー及びピストンが一体に組み立てられた状態で外容器の下体に組み立てられ、前記ピストンの係止突起とショルダーの係止突起はラウンド突起状に形成され、押圧板の最初押圧作動時、押圧板を解除することができる。
【００１９】
前記押圧板を弾支するスプリングは円錐形及び逆円錐形のいずれか一つを有することができる。
【００２０】
前記押圧板の下部の押圧バーはピストンの上部から一定の距離だけ離隔することができる。
【００２１】
前記ショルダー、ピストン及びバルブ手段は一体に組み立てられた状態で化粧内容物が充填された内容器及び下体と結合されることができる。
【００２２】
前記内容器の収容空間部には、ピストンの結合による残留圧力を解消するための残留圧力解除部がさらに備えられることができる。
【００２３】
前記残留圧力解除部は、内容器の内部に垂直に支持される支持部と、前記支持部に一端部が一体に結合され、他端部は、ピストンの結合時、内容器の内部圧力を外部に排出させるための圧力排出孔を有する弾性ゴム素材のキャップとを含んでなり、前記ピストンには前記キャップの他端部に結合される組立孔が貫設され、前記キャップの他端部の圧力排出孔は、ピストンの組立完了時、ショルダーに形成された密着部の対応位置に弾性的に密着することによって密閉されることができる。
【発明の効果】
【００２４】
このような本発明は、エアレスポンプの代わりに押圧板をスプリングで弾発的に押圧する簡単な構造によって化粧内容物を簡単に吐き出すことができるようにすることにより、製造生産性の向上、製造コストの節減及び使用便利性に優れた効果を有するものである。
【００２５】
また、前記内容器の上部に結合されるバルブ手段、ショルダー及びピストンを一体に組み立てた状態で内容器に化粧内容物を充填した後、一度に組み立てて製造するので、組立生産が簡便な効果を有するものである。
【００２６】
また、前記押圧板を最初に押圧して使用する前にピストンが下降することを防止し、化粧内容物の吐出経路に対する気密構造を向上させて、化粧内容物の残量が外部に漏出することを防止するので、化粧内容物の汚染、容器の汚染を防止する効果を有するものである。
【００２７】
また、残留圧力解除部によって、化粧内容物が充填された状態で内容器の内部にピストンを結合するとき、排気ホールを通じて完全に排出されなかった残留圧力を再び外部に排出させるようにしてピストンの結合をもっと迅速で安定的になすようにする効果を提供する。
【図面の簡単な説明】
【００２８】
【図１】本発明の化粧品容器を示す外観斜視図である。
【図２】図１の一部切欠斜視図である。
【図３】本発明の化粧品容器を示す正断面図である。
【図４】図３の「Ａ」部の拡大図である。
【図５】図３の「Ｂ」部の拡大図である。
【図６】図３の組立前の状態を示す分解断面図である。
【図７】図６の要部の分解断面図である。
【図８】本発明の化粧品容器を示す全体分解斜視図である。
【図９】図８のバルブ胴体分解斜視図である。
【図１０】本発明の作動状態を示す要部断面図である。
【図１１】本発明による残留圧力解除部の構成を示した化粧品容器の一部切欠斜視図である。
【図１２】図１１の組立断面図である。
【図１３】図１２の下体が開放した状態で残留圧力解除部の構成を示すための分解断面図である。
【図１４】図１２の「Ｃ」部の拡大図である。
【発明を実施するための形態】
【００２９】
以下、前述したような本発明の好適な実施例を添付図面に基づいて具体的に説明する。
【００３０】
本発明の押圧作動式化粧品容器は、図１〜図９に示したように、上体１０、下体２０、内容器３０、ショルダー４０、ピストン５０及びバルブ手段６０からなる。
【００３１】
前記上体１０と下体２０は外容器をなすもので、一側に備えられるヒンジ結合によって互いに連結構成されて上下に開閉操作され、他側に備えられるロック部６によってロック又はロック解除作動するように構成される。
【００３２】
前記内容器３０は外容器の下体２０の内部に挿合されるものであり、内部に化粧内容物を収容する収容空間部３１と、前記収容空間部３１の中央に下部外側の貫通孔３２ａに流入する化粧内容物を垂直上方に供給する供給孔３２ｂが形成された垂直管部３２とが形成されてなる。
【００３３】
前記ショルダー４０は下体２０の内部の内容器の上部に挿合され、側方の組立突起４２が下体２０の側方の組立溝２２に挿入されて固定結合されるように構成される。
【００３４】
前記ピストン５０は内容器３０の収容空間部３１に挿合され、内縁部には垂直管部３２の外側に弾性的に密着して下降することができるように内側羽部５１が形成され、外縁部には内容器３０の収容空間部３１の内側に弾性的に密着して下降することができるように上下に広がっている形態の外側羽部５２が形成されてなる。
【００３５】
そして、前記内容器３０の収容空間部３１の内側面には上端からピストン５０が最初に挿入される上部位置まで少なくとも１ヶ所以上に排気ホール３３が形成されることにより、ピストン５０の最初挿合時に真空が解除されるように構成される。
【００３６】
前記バルブ手段６０はピストン５０の押圧作動によって化粧内容物を吐き出すためのものであり、内容器の垂直管部３２に挿入されて連結され、内部にバルブ孔６１ａと上部に円周方向に分割された吐出孔６１ｂとが形成されたバルブ胴体６１と、前記バルブ胴体６１の上部外側に取り付けられ、下部にピストン５０を押圧するための押圧バー６３ａが突設される押圧板６３と、前記押圧板６３の下部を弾支するスプリング６５とからなり、前記押圧板６３の内側はバルブ胴体６１の上部外側に形成された傾斜面６１ｃに弾性的に密着し、押圧板６３の押圧作動によってバルブ胴体の吐出孔６１ｂを開閉作動するように構成される。
【００３７】
ここで、前記押圧板６３の内側には、バルブ胴体６１の上部外側の傾斜面６１ｃに弾性的に密着して気密に作動するように内側に対応傾斜面６４ａを有するパッキング６４が結合されて構成される。
【００３８】
また、前記押圧板６３は上部にパフ７０を収納するために陷沒状のパフ収納凹部６３ｂが形成され、押圧板の外側上部がショルダー４０の上部内側に形成された段差部４１に当接して取り付けられるものではなく、０．５〜１ｍｍ程度の離隔隙間をなすように離隔して構成されることが好ましい。これは押圧板６３がスプリング６５の弾性力によってバルブ胴体６１の上部の外側傾斜面６１ｃに最大限弾性的に密着して気密性を向上させるためである。
【００３９】
そして、前記押圧板６３の下部の押圧バー６３ａもピストン５０の上部から０．８〜１ｍｍ程度離隔するように組み立てられることにより、ピストンの押圧における誤作動を防止するように構成されることが好ましい。
【００４０】
また、前記バルブ胴体６１の上部には押圧板６３の上面より低い位置に陷沒した凹部６１ｄが形成されることにより、使用者が押圧板６３とバルブ胴体６１の上部を同時に押圧するとき、凹部によって押圧板６３が確かに押圧作動されるように構成される。
【００４１】
また、前記バルブ胴体６１は上部胴体６１−１と下部胴体６１−２に分割形成されて螺合するように構成される。
【００４２】
また、本発明は、バルブ手段６０、ショルダー４０及びピストン５０を図６のように先に組み立てた状態で化粧内容物が充填された内容器３０及び下体２０に対して一度に結合する組立構造を提供するように構成される。
【００４３】
すなわち、前記ピストン５０の上部に、上端外側に係止突起５６を有する組立突起５５が垂直に形成され、前記ショルダー４０には、前記組立突起５５が挿入される組立孔４５が形成され、内側面に組立突起の係止突起５６が噛み合って離脱を防止するように支持する係止突起４６が対応して形成されることにより、バルブ手段６０、ショルダー４０及びピストン５０が一体に組み立てられた状態で外容器の下体２０に組み立てられるように構成される。
【００４４】
ここで、前記ピストン５０の係止突起５６とショルダー４０の係止突起４６はラウンド突起状に形成されることにより、押圧板６３の最初押圧作動時に支持状態が解除されるように構成される。
【００４５】
また、本発明によれば、ショルダー４０に対して押圧板６３を弾発的に操作することができるように支持するスプリング６５は円錐形に形成されることにより、支持高及び空間は最小にしながらも押圧板６３の押圧移動距離を最大に確保することができるように構成されることが好ましい。前記スプリング６５は逆円錐形になっても構わない。
【００４６】
図面符号４８はショルダー４０の下部に形成され、押圧板の押圧棒が挿入される通孔、６１ｅはバルブの下部内側に突出して内容器の垂直管部３２の外側に密着する気密突起、６３ａ’は押圧板の下部内側に押圧棒６３ａより短く突出し、押圧棒６３ａがパッキングを押圧してからバルブ胴体６１を押圧することによって押圧板６３とバルブ胴体６１が一緒に下降しながらあまりにも広がることを防止する補助押圧棒を示す。
【００４７】
次に、前記のように構成される本発明の作動及び作用について説明する。
【００４８】
まず、本発明による化粧品容器の組立過程を説明すれば、ショルダー４０、ピストン５０及びバルブ手段６０を組み立てる。
【００４９】
すなわち、図６に示したように、ショルダー４０の上部にスプリング６５と一緒に押圧板６３を結合する。
【００５０】
このとき、前記押圧板６３の下部の押圧バー６３ａがショルダー４０の下部の通孔４８に挿入されるように位置させる。
【００５１】
このような状態で、前記押圧板６３の上部中央にバルブ胴体６１の上部胴体６１−１を挿入し、下部胴体６１−２をショルダー４０の下部中央に挿入して互いに螺合する。
【００５２】
このようにしてショルダー４０とバルブ手段６０を結合する。
【００５３】
そして、前記ショルダー４０の下部にピストン５０を結合する。このとき、前記ピストンの上部の組立突起５５をショルダーの下部の組立孔４５に挿入するとともに前記組立突起の外側の係止突起５６がショルダーの内側面の係止突起４６と噛み合って離脱しないように支持するように結合する。
【００５４】
このようにして、ショルダー４０、バルブ手段６０及びピストン５０を一体に組み立てる。
【００５５】
このような状態で、内容器３０の収容空間部３１に化粧内容物を先に充填した後、前記ショルダー４０、バルブ手段６０及びピストン５０が一体に組み立てられた状態で内容器に一度に組み立てる。
【００５６】
すなわち、前記ピストン５０が内容器の収容空間部３１に挿入され、前記バルブ胴体６１が内容器の垂直管部３２に結合されて連結されるとともに前記ショルダー４０の組立突起４１が下体の側方の組立溝３１に挿入されて固定結合される。
【００５７】
このとき、前記ピストン５０は内側羽部５１が内容器の中央の垂直管部５１に気密に挿入され、外側羽部５２は内容器の収容空間部３１の内側に気密に挿入される。
【００５８】
特に、前記内容器３０の収容空間部３１の内側には上部に排気ホール３３が形成されることで、ピストン５０の外側羽部５２が挿入される過程で空気が排出されて真空が解除されることによってピストンが円滑に挿入される。
【００５９】
このように、本発明は、ショルダー４０、バルブ手段６０及びピストン５０を一体に組み立てた状態で、内容器３０に化粧内容物を充填した後、一度に組み立てて製造することになる。
【００６０】
このような組立状態で、前記ピストン５０は上部組立突起５５に形成された係止突起５６がショルダーの内側に形成された係止突起４６に係止されることにより、ピストン５０が下降することを防止する。
【００６１】
このように組み立てられた化粧品容器の内容物を吐き出して使用する過程を説明すれば、スプリング６５を圧縮させながら押圧板６３を弾発的に押圧する。
【００６２】
前記押圧板６３が下降するにつれて前記押圧板の下部の押圧バー６３ａがピストン５０を押圧することになる。
【００６３】
このとき、前記ピストン５０の組立突起５５に形成された係止突起５６がショルダーの内側に形成された係止突起４６から離脱して下降し始める。
【００６４】
このように、前記押圧板６３によってピストン５０が押圧されるにつれて内側羽部５１が内容器３０の垂直管部３２の外側を弾性的に密着して気密に下降し、外側羽部５２が内容器３０の収容空間部３１の内側に弾性的に密着して気密に下降することになる。
【００６５】
このように、ピストン５０が押圧されることによって内容器３０の化粧内容物が垂直管部３２の下部外側の貫通孔３２ａと内部の供給孔３２ｂを通じて垂直に上昇してバルブ胴体６１のバルブ孔６１ａに供給される。
【００６６】
そして、前記バルブ胴体６１の上部に円周方向に分割された吐出孔６１ｂを通じて四方に吐き出すことになる。
【００６７】
このとき、前記バルブ胴体６１の吐出孔６１ｂが押圧板６３の内側に結合されたパッキングによって気密に密閉された状態で押圧板６３の押圧によってパッキング６４がバルブ胴体６１の上部外側の傾斜面６１ｃから離隔して吐出孔６１ｂが開放して化粧内容物が吐き出されるようにする。
【００６８】
このように、前記バルブ胴体６１の上部外側の吐出孔６１ｂから吐き出される化粧内容物は押圧板６３の上部に案内され、使用者はこれをパフ７０に付けて使うことになる。
【００６９】
一方、前記押圧板６３の押圧作動を解除すれば、押圧板６３がスプリング６５の弾性力によって上昇して復帰する。このとき、ピストン５０は上昇せずに押圧された状態を維持することになる。
【００７０】
このように、押圧板６３が上昇して復帰するにつれて内側パッキング６４がバルブ胴体６１の上部外側の傾斜面６１ｃに再び密着して吐出孔６１ｂを密閉することによって化粧内容物の吐出を遮断することになる。
【００７１】
このとき、前記押圧板６３の外側上部がショルダー４０の上部内側の段差部４１に当接するものではなく、０．５〜１ｍｍ程度離隔した隙間を形成するから、押圧板６３がスプリング６５の弾性力によって最大に上昇して内側パッキング６４がバルブ胴体６１の上部外側の傾斜面６１ｃに最大に弾性的に密着して優れた気密性を確保することになる。
【００７２】
この過程で、前記バルブ胴体６１の上部外側の傾斜面６１ｃとパッキング６４の間に残っている残量の化粧内容物は、パッキング６４がバルブ胴体６１の傾斜面６１ｃに弾性的に密着することによって全てが押圧板６３の上部に排出されて使われるので、使用後に残量の化粧内容物が漏出するおそれを防止することになる。
【００７３】
その他に、本発明は、前記バルブ胴体６１の上部に、押圧板６３の上面より低い位置に陷沒した凹部６１ｄが形成されることで、使用者が押圧板６３とバルブ胴体６１の上部を押圧するとき、押圧板６３を正確に押圧しなくても凹部６１ｄによって指がもっと下降して押圧板６３を確かに押圧して作動することができる。
【００７４】
したがって、本発明は、従来のエアレスポンプの代わりに押圧板６３をスプリング６５によって弾発的に押圧する簡単な構造によってピストン５０を強制に押圧して、内容器３０に充填された化粧内容物を簡単に吐き出して使うことになる。また、前記内容器の上部に結合されるバルブ手段６０、ショルダー４０及びピストン５０を一体に組み立てた状態で化粧内容物が充填された内容器３０及び下体２０に対して一度に組み立てられる構造を採択することにより、従来の化粧内容物のバッグ充填構造による充填不良又は部品の組立困難の問題を一挙に解消しながらも部品を非常に簡単に組み立てることができるようになる。
【００７５】
一方、本発明によれば、図１１〜図１４のように、内容器３０の収容空間部３１には、ピストン５０の結合による残留圧力、例えば排気ホールを通じて排出されずに内容器の内部に残留する圧力をより円滑に解除するための残留圧力解除部８０をさらに備えることができる。
【００７６】
前記内容器３０の内部にピストン５０を結合するとき、内容器の真空圧力を解除するための手段として排気ホール３３を備えているが、内容器に対するピストンの結合時、内容器の内部に充填された化粧内容物に対する一定の押圧力を提供するために、外側羽部５２の下端部が前記排気ホールの下端より下側に位置するように組み立てられる。
【００７７】
したがって、前記ピストン５０の組立時、外側羽部５２の下端部５２ａが内容器３０の内壁に形成された前記排気ホール３３の区間範囲内では内容器の真空圧力が解除されるが、外側羽部の下端部が前記排気ホールの下端地点を通過してからはまた内容器の内部に一定の真空圧力が発生する。これを除去しなければ、ピストンの最初結合過程で内容器の内部に充填された化粧内容物が意図に反して外部に吐き出される問題のおそれがあり、これを解決するための手段を講究する必要がある。
【００７８】
それで、本発明は、前述したような点に鑑みて、内容器３０の内部にピストンを結合するとき、不可避に生成する圧力を解消するための残留圧力解除部８０をさらに備えている。残留圧力解除部８０は、内容器３０の内部に垂直に取り付けられた支持部８１と、前記支持部に一端部が一体に組み立てられて固定され、他端部にはピストンの結合時に内容器３０の内部圧力を外部に排出させるための圧力排出孔８２ａが貫設された弾性ゴム素材のキャップ８２とを含んでなる。前記ピストンには前記キャップの他端部に結合される組立孔８３が貫設され、前記キャップの他端部に形成された圧力排出孔は、ピストンの組立完了時、ショルダー４０の対応位置に形成される密着部８４との弾性接触によって密閉されるように構成されたものである。
【００７９】
前記残留圧力解除部８０のキャップ８２に結合される組立孔８３を有するピストン３０は、押圧板６３の押圧作動時、前記キャップ８２及び支持部８１の外周面に沿って下降することになる。
【００８０】
前記のように、残留圧力解除部８０をさらに備えることにより、内容器３０の内部に化粧内容物が充填された状態でピストン５０を結合しても、内容器の内部圧力は１次的に排気ホール３３を通じて排出され、ピストン５０の外側羽部５２の下端部５２ａが前記排気ホールの下端部より下側に位置する状態で組み立てられても、この過程で発生する圧力は２次的に前記残留圧力解除部８０のキャップ８２に形成された圧力排出孔８２ａを通じて外部に排出されるので、ピストン５０がもっと迅速で容易に結合されることができるとともにピストンの結合過程で意図せぬ化粧内容物の外部への吐出も一層防止することができる。
【００８１】
したがって、本発明によれば、残留圧力解除部８０をさらに備えることにより、化粧内容物が充填された状態でもピストンの安定した結合を誘導することができ、その過程で発生し得る化粧内容物の外部への吐出を防止することができるので、もっと高い組立安全性を提供することができる。
【００８２】
たとえ、本発明を添付図面に基づいて説明したが、本発明はこれに限定されず、下記の特許請求範囲を逸脱しない範疇内で多くの修正及び変更が可能であろう。
【符号の説明】
【００８３】
１０    上体
２０    下体
３０    内容器
３１    収容空間部
３２    垂直管部
３３    排気ホール
４０    ショルダー
４１    段差部
４６    係止突起
５０    ピストン
５５    組立突起
５６    係止突起
６０    バルブ手段
６１    バルブ胴体
６１ａ    バルブ孔
６１ｂ    吐出孔
６１ｃ    傾斜面
６１ｄ    凹部
６３    押圧板
６３ａ    押圧バー
６４    パッキング
６５    スプリング
８０    残留圧力解除部
８１    支持部
８２    キャップ
８２ａ    圧力排出孔
８３    組立孔
８４    密着部
【図１】
2019505321.tif 000003
【図２】
2019505321.tif 000004
【図３】
2019505321.tif 000005
【図４】
2019505321.tif 000006
【図５】
2019505321.tif 000007
【図６】
2019505321.tif 000008
【図７】
2019505321.tif 000009
【図８】
2019505321.tif 000010
【図９】
2019505321.tif 000011
【図１０】
2019505321.tif 000012
【図１１】
2019505321.tif 000013
【図１２】
2019505321.tif 000014
【図１３】
2019505321.tif 000015
【図１４】
2019505321.tif 000016
【国際調査報告】
2019505321.tif 000017
2019505321.tif 000018